(57)【要約】【課題】浴槽との隙間を塞ぎ、がたつきを抑え、蒸気漏れを防ぎ保温効果の低下を抑えることを目的とする。【解決手段】蓋本体８の外周縁に回動自在の可動縁１０を備え、可動縁１０の外周にリブ状の密閉片１１を設けることにより、可動縁１０を回転させて密閉片１１を浴槽５に接触させることにより隙間を塞ぐことができ、がたつきや蒸気漏れを抑え保温効果の低下を抑えることができる。【選択図】図２
2005304592.tif 000002
【特許請求の範囲】
【請求項１】
板状の蓋本体の外周縁の少なくとも一部に上下方向に回動自在の可動縁を備え、前記可動縁の外周にリブ状の密閉片を設けた風呂蓋。
【請求項２】
可動縁の外周で密閉片とは異なる方向に突出する突起片を設けた請求項１に記載の風呂蓋。
【請求項３】
密閉片を軟質材料で形成した請求項１または２に記載の風呂蓋。
【発明の詳細な説明】
【技術分野】
【０００１】
本発明は浴槽に被せる平板形状の風呂蓋に関するものである。
【背景技術】
【０００２】
従来、この種の風呂蓋は蓋本体の周縁に弾性材料からなる縁材が固着されており、縁材の弾性により、風呂蓋と浴槽を密接させる構成である（例えば、特許文献１参照）。
【０００３】
図８は、特許文献１に記載された従来の風呂蓋を示すものである。図８に示すように、上下一対の平板１と、平板間に挟着された合成樹脂発泡体の心材２とからなる平板形状の蓋本体３と、蓋本体３の周縁を挟持する軟質材料からなる縁材４で構成されている。
【特許文献１】特開平０６−２２５８４１号公報
【発明の開示】
【発明が解決しようとする課題】
【０００４】
しかしながら、前記従来の構成では、浴槽上縁に載置したとき縁材が浴槽と接した部分は浴槽との隙間がなく蒸気漏れの発生もなく保温が保たれるが、浴槽上縁部には、一般的に水溜りの発生がないように、浴槽の中央方向に向かって水流れ勾配が設けてあり、特に浴槽上縁に水栓等を設けた場合、水栓を逃げて風呂蓋を載置する必要があり、このような所では浴槽と風呂蓋の縁材の間に隙間が発生し、風呂蓋のがたつきや、蒸気漏れの発生により、保温効果が下がるという課題を有していた。
【０００５】
本発明は、前記従来の課題を解決するもので、浴槽に載置したとき、浴槽との隙間を抑え、がたつきなく、保温効果の低下を抑えることができる風呂蓋を提供することを目的とする。
【課題を解決するための手段】
【０００６】
前記従来の課題を解決するために、本発明の風呂蓋は、板状の蓋本体の外周縁の少なくとも一部に上下方向に回動自在の可動縁を備え、前記可動縁の外周にリブ状の密閉片を設けた構成としたものである。
【０００７】
これによって、浴槽の水流れ勾配によって発生した隙間は、可動縁を回転させて密閉片を浴槽に接触させることにより、隙間を塞ぐことができる。
【発明の効果】
【０００８】
本発明の風呂蓋は、浴槽に載置したとき、浴槽との隙間を塞ぐことができるため、がたつきをなくし、蒸気漏れの発生を抑え保温効果の低下を抑えることができる。
【発明を実施するための最良の形態】
【０００９】
第１の発明は板状の蓋本体の外周縁の少なくとも一部に上下方向に回動自在の可動縁を備え、前記可動縁の外周にリブ状の密閉片を設けたことにより、浴槽に設けた水流れ勾配により発生する隙間を可動縁を回転させて密閉片を浴槽に密着できるため、浴槽との隙間がなくなり、風呂蓋のがたつきをなくし、隙間よりの蒸気漏れを抑え、保温効果の低下を抑えることができる。
【００１０】
第２の発明は、特に、第１の発明の可動縁に密閉片とは異なる方向に突出する突起片を設けたことにより、入浴中等の風呂蓋を使用しない時の仮置き時に、突起部を下にして風呂蓋を立て掛けた時に突起部により風呂蓋が載置面より浮くため、特に洗い場に置いた場合、汚水が直接かかることがなく、風呂蓋が汚れ難くなり、気持ちよく使用することができる。
【００１１】
第３の発明は、特に第１または第２の発明の密閉片を軟質材料で形成したことにより、密閉片が浴槽の形状になじみやすく密着性が向上するため、より高い保温効果を得ることができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における風呂蓋を浴槽に載置した状態の平面図を示すものであり、図２は風呂蓋の浴槽に載置した状態の要部断面図を示すものであり、図３は風呂蓋の固定縁を取り付けた部分の断面図を示すものであり、図４は可動縁を取り付けた部分の断面図を示し、図５は可動縁の取付方法を示す斜視図である。
【００１４】
図１、図２に示すように、浴槽５のフランジ面５ａは略水平面である外周縁から浴槽の中央方向に向かって水流れ勾配が設けてあり、図２に示すように水栓６を取り付けた場所においては、風呂蓋７を載置した状態で、風呂蓋７の下面７ａと浴槽５のフランジ面５ａとは密着せず隙間が開いた状態となっている。
【００１５】
図２に示すように、風呂蓋７の蓋本体８は表面に化粧処理を施したアルミ製の上下２枚の表面材８ａの間に断熱性を備えた樹脂の発泡材からなる心材８ｂを積層した構成となっている。
【００１６】
図１、図３に示すように、蓋本体８の周縁の一部には略コ字形状の固定縁９が固着してあり、残りの周縁には回動自在の可動縁１０を設けている。
【００１７】
図４、図５に示すように、可動縁１０は略円筒形であり両端部には回動軸１０ａを備えており、蓋本体８に形成した軸受穴８ｃに挿入することにより、回動自在に枢着している。また、可動縁１０の外周面には軟質材料からなるリブ状の密閉片１１が略全長に亘り一体で形成するとともに、前記密閉片１１とは異なる方向に突出した硬質材料からなる板状の突起片１２が可動縁の略全長に亘り一体で形成してある。
【００１８】
以上のように構成された風呂蓋について、以下その動作、作用を説明する。
【００１９】
まず、浴槽５に風呂蓋７を載置すると、図２に示すように、浴槽５の水栓６を取り付けるフランジ面５ａは浴槽の中央方向に大きく傾斜した傾斜面となっており、風呂蓋７の下面７ａと浴槽５のフランジ面５ａとは密着せず隙間が開いているが、可動縁１０を回動し、密閉片１１をフランジ面５ａに密着させることにより、全周に亘り浴槽５と風呂蓋７を密着することができ、隙間を塞ぐことができる。しかも密閉片１１は軟質材等て形成しているためフランジ面５ａの形状になじみ隙間を確実に塞ぐことができる。
【００２０】
また、風呂蓋７を入浴中等で使用しないで仮置きする時は、図６に示すように、可動縁１０を回動し、突起片１２を下にして風呂蓋を立て掛けることにより、風呂蓋が載置面より浮くため、特に洗い場に置いた場合、汚水が直接かかることを防止できる。
【００２１】
以上のように、本実施の形態においては風呂蓋の周縁に回動自在な可動縁を備え、可動縁に浴槽との隙間を塞ぐ密閉片を設けたことにより、浴槽のフランジに設けた水流れ勾配により発生する隙間を塞ぐことができ、風呂蓋のがたつきを抑え、隙間よりの蒸気漏れを抑え、保温効果の低下を抑えることができる。
【００２２】
また、風呂蓋を入浴時など洗い場や浴槽上縁に立て掛ける場合、突起片を下にして立て掛けることができるため、風呂蓋が載置面より浮くため、特に洗い場置いた場合、汚水が直接かかり難くなり、風呂蓋が汚れ難く、気持ちよく使用することができる。
【００２３】
なお、風呂蓋の形状は長方形に限るものではなく、図７に示すように浴槽の形状に合わせてコーナーを落とした形状等自由に選択することが可能である。
【００２４】
また、本実施の形態においては、蓋本体はアルミ製の表面材と樹脂の発泡材からなる心材を積層した構成であるが、これに限るものではなく、表面材は樹脂や耐食性を備えた金属の板を使用することも可能であり、また、心材として木材等を使用してもよい。
【００２５】
また、本実施の形態においては、突起片は可動縁の全長に亘る板状の形状としたが、この形状に限るものではなく、直線上に並列する複数の角柱あるいは円柱形状等の突起片とすることにより、載置面との接触面積を小さくすることができるため、風呂蓋をより汚れにくくすることができる。
【産業上の利用可能性】
【００２６】
以上のように、本発明にかかる風呂蓋は浴槽との隙間を塞ぐことができるため、密封構造が必要な容器や収納箱等の用途にも適用できる。
【図面の簡単な説明】
【００２７】
【図１】本発明の実施の形態１における風呂蓋を浴槽に載置した平面図
【図２】本発明の実施の形態１における風呂蓋を浴槽に載置した要部断面図
【図３】本発明の実施の形態１における風呂蓋の固定縁の断面図
【図４】本発明の実施の形態１における風呂蓋の可動縁の断面図
【図５】本発明の実施の形態１における風呂蓋の可動縁の斜視図
【図６】本発明の実施の形態１における風呂蓋の使用しない場合の立面図
【図７】本発明の実施の形態１における別の形状の風呂蓋を浴槽に載置した平面図
【図８】従来の風呂蓋を示す断面図
【符号の説明】
【００２８】
７  風呂蓋
８  蓋本体
１０  可動縁
１１  密閉片
１２  突起片
【図１】
2005304592.tif 000003
【図２】
2005304592.tif 000004
【図３】
2005304592.tif 000005
【図４】
2005304592.tif 000006
【図５】
2005304592.tif 000007
【図６】
2005304592.tif 000008
【図７】
2005304592.tif 000009
【図８】
2005304592.tif 000010